(57)【要約】      （修正有）【課題】ねずみ捕獲の用に供する粘着シートを使用する際、シート上の粘着剤の上に滑り移動自在である蓋を覆って、粘着剤を見えなくする事により、ねずみの警戒心を取り除き、必要時に、素早くこれを移動させて蓋上のねずみを粘着捕獲せしめる手段であって、ねずみ捕獲効果の大きな捕獲器を提案するものである。【解決手段】粘着剤を内部に配備した基盤１の上に、基盤１と等しい形状の板を２分割して成る１対の滑走盤３，４を、ばね１４，１４’の弾性作用で基盤１上から離脱移動可で、且互いに設置した係止具８と係着部１２との係着作用により一体化せしめられた状態で載置して成る構造。【選択図】図１
2005261417.tif 000002
【特許請求の範囲】
【請求項１】
捕獲器本体と、捕獲器の捕獲手段とからなり、  捕獲器本体は、金属、合成樹脂、及びボール紙を主材とする適当な大きさの長方形状の基盤の内部底壁に粘着剤を配備し、基盤の片側の縁辺の中央部に立設した１対の支軸を、基盤の上側に載置した１対の滑走盤の相接する側の縁端に設けた軸穴に貫入し、そして基盤の支軸の周辺にぜんまい様ばね若しくは支軸の外側の基盤の縁辺に、１対のゴム片、巻きばねの一端を固着し、その他端を、支軸と直線上に並ぶ位置の両滑走盤の縁端に固着し、更に片方の滑走盤が他方の滑走盤に接する側の縁辺の適所に、上部に餌を備え、適所に係止具を付設した揺動盤を可揺動に枢設し、他方の滑走盤の縁辺の、係止具が接当可の位置に係着部を設置せしめた構造になるものであり、  捕獲器の捕獲手段は、基盤の上に軸支状態で載置された１対の滑走盤が、ゴム片、ばねの弾性作用で夫々が支軸を支点として回動し離脱可の状況の元で、互いに係止具と係着部との係着作用により静止状態を維持中において、片方の滑走盤上の揺動盤が、餌に引かれたねずみの作用力により揺動すると同時に、揺動盤の係止具が係着部より離脱して、両滑走盤の係着が消滅した時点で、両滑走盤は、ゴム片、ばねの弾性作用により、支軸を支点に夫々逆方向に勢い良く基盤上で孤を描く様に滑り移動すると共に、滑走盤上のねずみを丁度だるま落しの様に露出状態となった粘着剤上に落下させこれを粘着捕獲せしめるものである。
【発明の詳細な説明】
【０００１】〔産業上の利用分野〕  本発明は、粘着シートの上に滑り移動自在の蓋をする事により、常時は内部の粘着剤を蓋で覆い隠してねずみ等の害獣の警戒心を取り除き、必要時に素早く蓋を滑り移動させて粘着剤を露出状態にしてねずみ等を的確に粘着捕獲できる極めて効果的な害獣捕獲器に関する。
【０００２】〔従来の技術〕  近頃、永年に渡り使用されて来た、ボール紙の表面に粘着剤を一面に塗布してなる粘着シートにおいて、粘着剤が使用時に露出状態を呈する為、近年増殖が著しく警戒心の強いくまねずみの鋭敏な視覚や嗅覚でその存在が容易に察知され得る為その捕獲効果が漸次減少しつゝあるのが期界に憂慮されている。
【０００３】そこで上述の対策の一環として、元来ねずみに察知され易い粘着剤の存在をねずみに覚られない様にすべく、粘着シートをあらかじめ、殆ど密閉された箱状容器内の底壁上に納置させてねずみの目に触れなくし、そして容器の天井部にねずみの好む餌を吊り下げ、この餌の下側に、ねずみ用の入口付近を支点として上下に揺動自在な床板を設置し、しかして餌に引かれて入口より容器内に侵入したねずみが、餌に近づく為床板に乗って進みかけた瞬間床板はねずみの重力で急に傾いてねずみを下方の粘着シート上に滑り落し、これを粘着捕獲する仕組みの捕獲器が出現している
【０００４】〔発明が解決しようとする課題〕  上述の捕獲器においては、粘着剤をねずみの目に触れさせず従ってねずみの警戒心を無くして捕獲する意図は的を得たものとなっているが、反面、ねずみを床板から的確に滑落させる為には、床板の傾きが充分なものではなくてはならず、その為容器内に占める床板の振幅の度合も大きくなる結果、これを満足させる場合床板の支点即ち入口が容器の側壁の高所に設定せざるを得なくなる。
【０００５】  上述の場合、比較的小型なねずみにとってははるかな高所に存在する入口に倒達する迄に、容器の壁をよじ登る必要性があり、又よじ登る以前に、高所のしかも密閉状態に近い容器内に吊り下げ状態の餌をまづ発見する事も至難と思われる所から、その捕獲効果は当初の期待を裏切る恐れを生じ、又初期の有効対策としての役割にも疑念を抱かざるを得ない問題も有する。
【０００６】〔課題を解決する為の手段〕  本発明は、上述の問題点の発生要因が、ねずみを粘着剤に落下させる手段を比較的大きい振幅を必要とする床板の上下の揺動作用に頼るものであるに鑑み、上下揺動に代わる水平揺動によってその目的を達成せしめる捕獲器を提供するものであり、その為にまづ、従来の粘着シートの上に、粘着シートと等しい板を２分割した状態の滑走盤を併設し、この両滑走盤の相接する側の縁端に夫々軸穴を設け、この軸穴に、粘着シートの中央の片側の縁付近に立設した支軸を貫入させ、そして両滑走盤の相接する側の適所に夫々、餌、及び係止具を有する揺動盤と係止具を係着する為の係着部を設置し、更にゴム片、又は巻きばねの一端を粘着シート上の支軸の外側に固着し、その他端を夫々、両滑走盤が支軸を支点とし、て扇状の水平揺動を促す事が可能となる様に両滑走盤の適所に固着してなる構造の害獣捕獲器を提供するものである。
【０００７】〔作用〕  上述において、両滑走盤は常時粘着シートに蓋をする様に載置されるものであるから、外側から粘着剤が隠れて見える事なく従ってねずみは何ら警戒する事もなく、捕獲器に近づき、そして揺動盤上の餌も容易に見つけて滑走盤上に乗る事も何らの苦労もなく、行ったねずみが、揺動盤の餌に食いつくと、揺動盤はねずみに押圧されて揺動すると同時に、揺動盤上の係止具が他方の滑走盤上の係着部より離脱して両滑走盤の互いの係着を消滅させる結果、両滑走盤はゴム片、又はばねの引っ張り作用で粘着シート上を、支軸を支点として弧を描く様に勢い良く滑り移動を行って、その際滑走盤上のねずみは丁度だるま落しでだるまの落下する様に露出された粘着剤上に落下して粘着捕獲される事となる。
【０００８】  粘着捕獲されたねずみは、そのまゝ上から滑走盤で覆い隠して目に触れない様にした後ビニール袋等に収納して廃棄する事によりその都度使い捨てとしての用を終える。
【０００９】〔実施例〕  本発明の一実施例を図面に基づいて詳述すると、合成樹脂、ボール紙を素材として適当な大きさの長方形状に切り抜いた台紙の、四方の縁辺の適当な巾分を内側に折り曲げてなる縁部９を除く全表面に、ねずみの捕獲用に供せられる粘着剤２を緊密に塗布し、片側の縁部９の中央部に１対の支軸６、６′を夫々適当な間隔で併設且立設させて成る基盤１の上側に、基盤１と等しい大きさ、形状の板を２分割せしめた形状の１対の滑走盤３、４を、滑走盤３、４が相接する側の縁端に穿設した軸穴５、５′に基盤１上の支軸６、６′を貫入させた状態にて載置させる。
【００１０】  そして滑走盤３の、滑走盤４に相接する側の縁辺の適所に、上部に餌７を備え根元付近に係止具８、及び曲折部１０を設置した揺動盤１１を、曲設部１０を支点として可揺動に枢設し、そして滑走盤４の、滑走盤３と相接する側の縁辺の係止具８が接当する位置に溝穴状の係着部１２を設置し、この係着部１２に、揺動盤１１上の係止具８のかぎ状先端部１３を図示の様に嵌入且係着せしめる事により、両滑走盤３、４の離脱阻止の役割とする。
【００１１】  そして次に、基盤１の縁辺の支軸６、６′より外側の位置に、ゴム片１４、若しくは巻きばね１４′の一端を固着し、その他端を、支軸６  ６′と直線状に並ぶ位置となる両滑走盤３、４の縁端に夫々固着せしめて、両滑走盤３、４の係着が消滅した時点で両者に弾性作用を及ぼして互いに離脱移動が可の用に供する。
【００１２】  尚上述の実施例になるものは、その都度使い捨てのものであるが、若し全体を丈夫な金属素材で構成した場合においては、基盤１内表面に粘着剤２を全面塗布の仕組みを、あらかじめ単独の粘着シートを納置して置きこれを使用後に新規の粘着シートを再度に渡り基盤１内に納置可の方式に代えても、本発明本来の特徴や要旨を害わない限り差し任えなく、又、使用するゴム片、及び巻きばねに変え、例えば支軸周辺に配備したぜんまい状ばねの弾性作用を利用してもその効果に相違を認めない限りは何ら構わないものである。
【００１３】〔発明の効果〕  以上の様に、本発明の害獣捕獲具によれば、全体が従来の粘着シートに劣らず極薄に形成されているに関らず、介在する粘着剤が隠ぺい状態である為ねずみ等の害獣の目に触れる事なく、従ってねずみ等は何らの警戒心を抱く事もなく盤上の餌に近づき、そしてこれに触れるのみで容易に粘着捕獲され得るのでその捕獲効果は大きく、又全体がコンパクト化されているので運搬や収納に便利であるのみならず、その操作もたゞ床上に置くだけの簡単な作業であり、しかも、一旦捕獲されたねずみ等は直ちに滑走盤で覆えばこれを見る事もなくなるので、特に婦女子達に喜ばれ歓迎され得るであろう極めて使い勝手の良い且衛生上まことに有益な害獣捕獲器になるものである。
【図面の簡単な説明】
【００１４】
【図１】本発明の害獣捕獲器の使用中を示す全体斜視図
【図２】本発明の害獣捕獲器の使用を終えた直後の全体斜視図
【図３】本発明の害獣捕獲器の側面断面図
【図４】本発明の害獣捕獲器の主要部材の側面断面図である。
【符号の説明】
１−基盤    ２−粘着剤    ３、４−滑走盤    ５、５′−軸穴６  ６′−支軸    ７−餌    ８−係止具    ９−縁部    １０−曲折部１２−係着部    １３−かぎ状先端部    １４、１４′−ゴム片、巻きばね
【図１】
2005261417.tif 000003
【図２】
2005261417.tif 000004
【図３】
2005261417.tif 000005
【図４】
2005261417.tif 000006